(57)【特許請求の範囲】
【請求項１】
無線通信のための方法であって、
超高スループット信号Ｂ（ＶＨＴ−ＳＩＧ−Ｂ）フィールドを備えたプリアンブルを有する非ヌル・データ・パケットを送信することと、
ヌル・データ・パケット（ＮＤＰ）を生成することと、ここで、前記ＮＤＰのプリアンブルのＶＨＴ−ＳＩＧ−Ｂフィールドは、特定のビット・パターンを備える、
前記ＮＤＰを送信することとを備え、
前記ＮＤＰを送信することは、
２０ＭＨｚチャネルを用いることと、ここで、前記特定のビット・パターンは、０  ０  ０  ０  ０  １  １  １  ０  １  ０  ０  ０  １  ０  ０  ０  ０  １  ０を備える２０ビットを備える、
４０ＭＨｚチャネルを用いることと、ここで、前記特定のビット・パターンは、１  ０  １  ０  ０  １  ０  １  １  ０  １  ０  ０  ０  １  ０  ０  ０  ０  １  １を備える２１ビットを備える、
または、８０ＭＨｚチャネルを用いることと、ここで、前記特定のビット・パターンは、０  １  ０  １  ０  ０  １  １  ０  ０  １  ０  １  １  １  １  １  １  １  ０  ０  １  ０を備える２３ビットを備える、を備える、
方法。
【請求項２】
前記特定のビット・パターンは、低いピーク対平均電力比（ＰＡＰＲ）を有するように選択される、請求項１に記載の方法。
【請求項３】
無線通信のための装置であって、
超高スループット信号Ｂ（ＶＨＴ−ＳＩＧ−Ｂ）フィールドを備えたプリアンブルを有する非ヌル・データ・パケットを送信する手段と、
ヌル・データ・パケット（ＮＤＰ）を生成する手段と、ここで、前記ＮＤＰのプリアンブルのＶＨＴ−ＳＩＧ−Ｂフィールドは、特定のビット・パターンを備える、
前記ＮＤＰを送信する手段とを備え、
前記ＮＤＰを送信することは、
２０ＭＨｚチャネルを用いることと、ここで、前記特定のビット・パターンは、０  ０  ０  ０  ０  １  １  １  ０  １  ０  ０  ０  １  ０  ０  ０  ０  １  ０を備える２０ビットを備える、
４０ＭＨｚチャネルを用いることと、ここで、前記特定のビット・パターンは、１  ０  １  ０  ０  １  ０  １  １  ０  １  ０  ０  ０  １  ０  ０  ０  ０  １  １を備える２１ビットを備える、
または、８０ＭＨｚチャネルを用いることと、ここで、前記特定のビット・パターンは、０  １  ０  １  ０  ０  １  １  ０  ０  １  ０  １  １  １  １  １  １  １  ０  ０  １  ０を備える２３ビットを備える、を備える、
装置。
【請求項４】
無線通信のための装置であって、
超高スループット信号Ｂ（ＶＨＴ−ＳＩＧ−Ｂ）フィールドを備えたプリアンブルを有する非ヌル・データ・パケットを送信するように構成された送信機と、
ヌル・データ・パケット（ＮＤＰ）を生成するように構成された処理システムとを備え、
前記ＮＤＰのプリアンブルのＶＨＴ−ＳＩＧ−Ｂフィールドは、特定のビット・パターンを備え、前記送信機はさらに、前記ＮＤＰを送信するように構成され、
前記ＮＤＰを送信することは、
２０ＭＨｚチャネルを用いることと、ここで、前記特定のビット・パターンは、０  ０  ０  ０  ０  １  １  １  ０  １  ０  ０  ０  １  ０  ０  ０  ０  １  ０を備える２０ビットを備える、
４０ＭＨｚチャネルを用いることと、ここで、前記特定のビット・パターンは、１  ０  １  ０  ０  １  ０  １  １  ０  １  ０  ０  ０  １  ０  ０  ０  ０  １  １を備える２１ビットを備える、
または、８０ＭＨｚチャネルを用いることと、ここで、前記特定のビット・パターンは、０  １  ０  １  ０  ０  １  １  ０  ０  １  ０  １  １  １  １  １  １  １  ０  ０  １  ０を備える２３ビットを備える、を備える、
装置。
【請求項５】
前記特定のビット・パターンは、低いピーク対平均電力比（ＰＡＰＲ）を有するように選択される、請求項４に記載の装置。
【請求項６】
コンピュータ読取可能な記憶媒体であって、
超高スループット信号Ｂ（ＶＨＴ−ＳＩＧ−Ｂ）フィールドを備えたプリアンブルを有する非ヌル・データ・パケットを送信することと、
ヌル・データ・パケット（ＮＤＰ）を生成することと、ここで、前記ＮＤＰのプリアンブルのＶＨＴ−ＳＩＧ−Ｂフィールドは、特定のビット・パターンを備える、
前記ＮＤＰを送信することと、のためのコードを記憶し、
前記ＮＤＰを送信することは、
２０ＭＨｚチャネルを用いることと、ここで、前記特定のビット・パターンは、０  ０  ０  ０  ０  １  １  １  ０  １  ０  ０  ０  １  ０  ０  ０  ０  １  ０を備える２０ビットを備える、
４０ＭＨｚチャネルを用いることと、ここで、前記特定のビット・パターンは、１  ０  １  ０  ０  １  ０  １  １  ０  １  ０  ０  ０  １  ０  ０  ０  ０  １  １を備える２１ビットを備える、
または、８０ＭＨｚチャネルを用いることと、ここで、前記特定のビット・パターンは、０  １  ０  １  ０  ０  １  １  ０  ０  １  ０  １  １  １  １  １  １  １  ０  ０  １  ０を備える２３ビットを備える、を備える、
コンピュータ読取可能な記憶媒体。
【請求項７】
ユーザ端末における無線通信のための方法であって、
超高スループット信号Ｂ（ＶＨＴ−ＳＩＧ−Ｂ）フィールドを備えたプリアンブルを有する非ヌル・データ・パケットを受信することと、
ヌル・データ・パケット（ＮＤＰ）を受信することと、ここで、前記ＮＤＰのプリアンブルのＶＨＴ−ＳＩＧ−Ｂフィールドは情報を備える、
前記情報を用いることとを備え、
前記情報は特定のビット・パターンを備え、
前記ＮＤＰを受信することは、
２０ＭＨｚチャネルによって前記ＮＤＰを受信することと、ここで、前記特定のビット・パターンは、０  ０  ０  ０  ０  １  １  １  ０  １  ０  ０  ０  １  ０  ０  ０  ０  １  ０を備える２０ビットを備える、
４０ＭＨｚチャネルによって前記ＮＤＰを受信することと、ここで、前記特定のビット・パターンは、１  ０  １  ０  ０  １  ０  １  １  ０  １  ０  ０  ０  １  ０  ０  ０  ０  １  １を備える２１ビットを備える、
または、８０ＭＨｚチャネルによって前記ＮＤＰを受信することと、ここで、前記特定のビット・パターンは、０  １  ０  １  ０  ０  １  １  ０  ０  １  ０  １  １  １  １  １  １  １  ０  ０  １  ０を備える２３ビットを備える、を備える、
方法。
【請求項８】
前記情報に基づいて干渉を判定すること、をさらに備える請求項７に記載の方法。
【請求項９】
前記干渉に基づいて、ビームフォーミング・フィードバックを変更することと、
前記変更されたビームフォーミング・フィードバックを送信することと、
をさらに備える請求項８に記載の方法。
【請求項１０】
前記特定のビット・パターンは、低いピーク対平均電力比（ＰＡＰＲ）を有する、請求項７に記載の方法。
【請求項１１】
前記受信されたＮＤＰの特定のビット・パターンが正しいことをチェックすること、をさらに備える請求項７に記載の方法。
【請求項１２】
無線通信のための装置であって、
超高スループット信号Ｂ（ＶＨＴ−ＳＩＧ−Ｂ）フィールドを備えたプリアンブルを有する非ヌル・データ・パケットを受信する手段と、
ヌル・データ・パケット（ＮＤＰ）を受信する手段と、ここで、前記ＮＤＰのプリアンブルのＶＨＴ−ＳＩＧ−Ｂフィールドは情報を備える、
前記情報を用いる手段とを備え、
前記情報は特定のビット・パターンを備え、
前記ＮＤＰを受信することは、
２０ＭＨｚチャネルによって前記ＮＤＰを受信することと、ここで、前記特定のビット・パターンは、０  ０  ０  ０  ０  １  １  １  ０  １  ０  ０  ０  １  ０  ０  ０  ０  １  ０を備える２０ビットを備える、
４０ＭＨｚチャネルによって前記ＮＤＰを受信することと、ここで、前記特定のビット・パターンは、１  ０  １  ０  ０  １  ０  １  １  ０  １  ０  ０  ０  １  ０  ０  ０  ０  １  １を備える２１ビットを備える、
または、８０ＭＨｚチャネルによって前記ＮＤＰを受信することと、ここで、前記特定のビット・パターンは、０  １  ０  １  ０  ０  １  １  ０  ０  １  ０  １  １  １  １  １  １  １  ０  ０  １  ０を備える２３ビットを備える、を備える、
装置。
【請求項１３】
無線通信のための装置であって、
超高スループット信号Ｂ（ＶＨＴ−ＳＩＧ−Ｂ）フィールドを備えたプリアンブルを有する非ヌル・データ・パケットを受信し、
ヌル・データ・パケット（ＮＤＰ）を受信し、ここで、前記ＮＤＰのプリアンブルのＶＨＴ−ＳＩＧ−Ｂフィールドは情報を備える、
前記情報を用いる、
ように構成された受信機を備え、
前記情報は特定のビット・パターンを備え、
前記ＮＤＰを受信することは、
２０ＭＨｚチャネルによって前記ＮＤＰを受信することと、ここで、前記特定のビット・パターンは、０  ０  ０  ０  ０  １  １  １  ０  １  ０  ０  ０  １  ０  ０  ０  ０  １  ０を備える２０ビットを備える、
４０ＭＨｚチャネルによって前記ＮＤＰを受信することと、ここで、前記特定のビット・パターンは、１  ０  １  ０  ０  １  ０  １  １  ０  １  ０  ０  ０  １  ０  ０  ０  ０  １  １を備える２１ビットを備える、
または、８０ＭＨｚチャネルによって前記ＮＤＰを受信することと、ここで、前記特定のビット・パターンは、０  １  ０  １  ０  ０  １  １  ０  ０  １  ０  １  １  １  １  １  １  １  ０  ０  １  ０を備える２３ビットを備える、を備える、
装置。
【請求項１４】
前記情報に基づいて干渉を判定するように構成された処理システム、をさらに備える請求項１３に記載の装置。
【請求項１５】
送信機をさらに備え、
前記処理システムはさらに、前記干渉に基づいて、ビームフォーミング・フィードバックを変更するように構成され、
前記送信機は、前記変更されたビームフォーミング・フィードバックを送信するように構成された、
請求項１４に記載の装置。
【請求項１６】
前記特定のビット・パターンは、低いピーク対平均電力比（ＰＡＰＲ）を有する、請求項１３に記載の装置。
【請求項１７】
前記受信されたＮＤＰの特定のビット・パターンが正しいことをチェックするように構成された処理システム、をさらに備える請求項１３に記載の装置。
【請求項１８】
ユーザ端末における無線通信のためのコンピュータ読取可能な記憶媒体であって、
超高スループット信号Ｂ（ＶＨＴ−ＳＩＧ−Ｂ）フィールドを備えたプリアンブルを有する非ヌル・データ・パケットを受信することと、
ヌル・データ・パケット（ＮＤＰ）を受信することと、ここで、前記ＮＤＰのプリアンブルのＶＨＴ−ＳＩＧ−Ｂフィールドは情報を備える、
前記情報を用いることと、のためのコードを記憶し
前記情報は特定のビット・パターンを備え、
前記ＮＤＰを受信することは、
２０ＭＨｚチャネルによって前記ＮＤＰを受信することと、ここで、前記特定のビット・パターンは、０  ０  ０  ０  ０  １  １  １  ０  １  ０  ０  ０  １  ０  ０  ０  ０  １  ０を備える２０ビットを備える、
４０ＭＨｚチャネルによって前記ＮＤＰを受信することと、ここで、前記特定のビット・パターンは、１  ０  １  ０  ０  １  ０  １  １  ０  １  ０  ０  ０  １  ０  ０  ０  ０  １  １を備える２１ビットを備える、
または、８０ＭＨｚチャネルによって前記ＮＤＰを受信することと、ここで、前記特定のビット・パターンは、０  １  ０  １  ０  ０  １  １  ０  ０  １  ０  １  １  １  １  １  １  １  ０  ０  １  ０を備える２３ビットを備える、を備える、
コンピュータ読取可能な記憶媒体。
【発明の詳細な説明】
【関連出願に対する相互参照】
【０００１】
本願は、「ヌル・データ・パケット（ＮＤＰ）におけるＶＨＴ−ＳＩＧＢフィールド」（VHT-SIGB FIELD IN NULL DATA PACKETS (NDPs)）と題され２０１０年８月４日に出願された米国仮出願６１／３７０，７１５号と、「ヌル・データ・パケット（ＮＤＰ）におけるＶＨＴ−ＳＩＧＢフィールド」（VHT-SIGB FIELD IN NULL DATA PACKETS (NDPs)）と題され２０１０年１０月５日に出願された米国仮出願６１／３９０，１０１号と、の利益を要求する。これら出願はともに、本明細書に参照によって組み込まれる。
【技術分野】
【０００２】
本開示のある態様は、一般に、無線通信に関し、更に詳しくは、ヌル・データ・パケット（ＮＤＰ）のプリアンブルにおける超高スループット信号Ｂ（ＶＨＴ−ＳＩＧ−Ｂ：Very High Throughput Signal B）フィールドにおける情報を用いることに関する。
【背景技術】
【０００３】
無線通信システムのために要求される帯域幅要件が増加する問題に対処するために、複数のユーザ端末が、チャネル・リソースを共有することによって、高データ・スループットを達成しながら、単一のアクセス・ポイントと通信することを可能にするための、異なるスキームが開発されている。複数入力複数出力（ＭＩＭＯ）技術は、次世代通信システムのためのポピュラーな技術として最近現れたこのような１つのアプローチを表す。ＭＩＭＯ技術は、例えば電気電子学会（ＩＥＥＥ）８０２．１１規格のようないくつかの新興の無線通信規格に採用された。ＩＥＥＥ  ８０２．１１は、短距離通信（例えば、数１０メートルから数１００メートル）のためにＩＥＥＥ  ８０２．１１委員会によって開発された無線ローカル・エリア・ネットワーク（ＷＬＡＮ）エア・インタフェース規格のセットを示す。
【０００４】
ＭＩＭＯシステムはデータ送信のために、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与えうる。
【０００５】
単一のアクセス・ポイント（ＡＰ）と複数のユーザ局（ＳＴＡ）とを備える無線ネットワークでは、アップリンク方向とダウンリンク方向との両方において、複数のチャネルにおいて、異なる局への同時送信が生じうる。このようなシステムには、多くのチャレンジがある。
【発明の概要】
【０００６】
本開示のある態様は、無線通信のための方法を提供する。この方法は一般に、超高スループット信号Ｂ（ＶＨＴ−ＳＩＧ−Ｂ）フィールドを備えたプリアンブルを有する非ヌル・データ・パケットを送信することと、ヌル・データ・パケット（ＮＤＰ）を生成することと、ここで、ＮＤＰのプリアンブルのＶＨＴ−ＳＩＧ−Ｂフィールドは情報を備える、ＮＤＰを送信することと、を含む。
【０００７】
本開示のある態様は、無線通信のための装置を提供する。この装置は一般に、ＶＨＴ−ＳＩＧ−Ｂフィールドを備えたプリアンブルを有する非ヌル・データ・パケットを送信する手段と、ＮＤＰを生成する手段と、ここで、ＮＤＰのプリアンブルのＶＨＴ−ＳＩＧ−Ｂフィールドは情報を備える、ＮＤＰを送信する手段と、を含む。
【０００８】
本開示のある態様は、無線通信のための装置を提供する。この装置は一般に、ＶＨＴ−ＳＩＧ−Ｂフィールドを備えたプリアンブルを有する非ヌル・データ・パケットを送信するように構成された送信機と、ＮＤＰを生成するように構成された処理システムと、ここで、ＮＤＰのプリアンブルのＶＨＴ−ＳＩＧ−Ｂフィールドは情報を備える、を含む。そして、送信機はさらに、ＮＤＰを送信するように構成されている。
【０００９】
本開示のある態様は、無線通信のためのコンピュータ・プログラム製品を提供する。このコンピュータ・プログラム製品は、一般に、コンピュータ読取可能な媒体を含む。これは、一般に、ＶＨＴ−ＳＩＧ−Ｂフィールドを備えたプリアンブルを有する非ヌル・データ・パケットを送信し、ＮＤＰを生成し、ここで、ＮＤＰのプリアンブルのＶＨＴ−ＳＩＧ−Ｂフィールドは情報を備える、ＮＤＰを送信する、ためのコードを含む。
【００１０】
本開示のある態様は、無線通信のための方法を提供する。この方法は一般に、ＶＨＴ−ＳＩＧ−Ｂフィールドを備えたプリアンブルを有する非ヌル・データ・パケットを受信することと、ＮＤＰを受信することと、ここで、ＮＤＰのプリアンブルのＶＨＴ−ＳＩＧ−Ｂフィールドは情報を備える、を含む。
【００１１】
本開示のある態様は、無線通信のための装置を提供する。この装置は一般に、ＶＨＴ−ＳＩＧ−Ｂフィールドを備えたプリアンブルを有する非ヌル・データ・パケットを受信する手段と、ＮＤＰを受信する手段と、ここで、ＮＤＰのプリアンブルのＶＨＴ−ＳＩＧ−Ｂフィールドは情報を備える、を含む。
【００１２】
本開示のある態様は、無線通信のための装置を提供する。この装置は一般に、ＶＨＴ−ＳＩＧ−Ｂフィールドを備えたプリアンブルを有する非ヌル・データ・パケットを受信し、ＮＤＰを受信する、ここで、ＮＤＰのプリアンブルのＶＨＴ−ＳＩＧ−Ｂフィールドは情報を備える、ように構成された受信機を含む。
【００１３】
本開示のある態様は、無線通信のためのコンピュータ・プログラム製品を提供する。このコンピュータ・プログラム製品は、一般に、コンピュータ読取可能な媒体を含む。これは、一般に、ＶＨＴ−ＳＩＧ−Ｂフィールドを備えたプリアンブルを有する非ヌル・データ・パケットを受信し、ＮＤＰを受信する、ここで、ＮＤＰのプリアンブルのＶＨＴ−ＳＩＧ−Ｂフィールドは情報を備える、ためのコードを含む。
【図面の簡単な説明】
【００１４】
本開示の前述した特徴が、より詳細に理解される方式で、簡潔に要約された具体的な記載が、態様に対する参照によってなされている。そして、それらのいくつかは、添付図面で例示されている。しかしながら、この記載は、その他の等しく有効な態様に対しても適合するので、添付図面は、本開示のある典型的な態様のみを示していることや、この範囲を限定するものとしては考慮されないことが注目されるべきである。
【図１】図１は、本開示のある態様にしたがう無線通信ネットワークの図解を例示する。
【図２】図２は、本開示のある態様にしたがうアクセス・ポイントおよびユーザ端末の例のブロック図を例示する。
【図３】図３は、本開示のある態様にしたがう無線デバイスの例のブロック図を例示する。
【図４】図４は、本開示のある態様にしたがってアクセス・ポイントから送信されるプリアンブルの構造の例を例示する。
【図５】図５は、本開示のある態様にしたがって、情報を含むヌル・データ・パケット（ＮＤＰ）のプリアンブルにＶＨＴ−ＳＩＧ−Ｂフィールドを有するＮＤＰを生成するためにアクセス・ポイント（ＡＰ）において実行されうる動作の例を例示する。
【図５Ａ】図５Ａは、図５に図示された動作を実行することが可能な手段の例を図示する。
【図６】図６は、本開示のある態様にしたがって、情報を含むヌル・データ・パケット（ＮＤＰ）のプリアンブルにＶＨＴ−ＳＩＧ−Ｂフィールドを有するＮＤＰを受信するためにユーザ端末（ＵＴ）において実行されうる動作の例を例示する。
【図６Ａ】図６Ａは、図６に図示された動作を実行することが可能な手段の例を図示する。
【発明を実施するための形態】
【００１５】
本開示のさまざまな態様は、添付図面を参照して以下により十分に記載される。しかしながら、本開示は、異なる多くの形態で具体化され、本開示を通じて示されたどのような具体的な構成または機能にも限定されるとは解釈されるべきではない。むしろ、これらの態様は、本開示が十分で完全であり、本開示の範囲を当業者に十分に伝達できるように提供される。本明細書における教示に基づいて、当業者は、本開示の範囲は、独立して実施されようが、あるいは、本開示の任意の他の態様と組み合わされようが、本明細書で示された開示の態様をカバーすることが意図されていることを認識すべきである。例えば、本明細書に記載された任意の数の態様を用いて装置が実施され、方法が実現されうる。さらに、本開示の範囲は、別の構成、機能、または、本明細書に記載された開示のさまざまな態様またはそれ以外の態様が追加された構成および機能を用いて実現される装置または方法をカバーすることが意図されている。本明細書で示された開示のあらゆる態様は、特許請求の範囲の１または複数の要素によって具体化されうる。
【００１６】
「典型的である」という単語は「例、事例、あるいは実例として役立つ」ことを意味するために本明細書で使用される。本明細書において「典型的」と記載されるいかなる態様も、他の態様よりも好適であるとか、有利であると必ずしも解釈される必要はない。
【００１７】
本明細書では、特定の態様が記載されているが、これら態様の多くの変形および置換が、本開示の範囲内にある。好適な態様のいくつかの利点および長所が述べられているが、本開示の範囲は、特定の利点、使用、および目的に限定されることは意図されていない。むしろ、本開示の態様は、このうちのいくつかが図面における例示によって、および、以下の好適な態様の記載によって例示されている異なる無線技術、システム構成、ネットワーク、および伝送プロトコルに広く適用可能であることが意図されている。詳細な記載および図面は、限定ではない開示の単なる例示であり、本開示の範囲は、特許請求の範囲およびその均等物によって定義される。
【００１８】
（典型的な無線通信システム）  
本明細書に記載された技術は、直交多重化スキームに基づく通信システムを含むさまざまなブロードバンド無線通信システムのために使用される。このような通信システムの例は、空間分割多元接続（ＳＤＭＡ）システム、時分割多元接続（ＴＤＭＡ）システム、直交周波数分割多元接続（ＯＦＤＭＡ）システム、シングル・キャリア周波数分割多元接続（ＳＣ−ＦＤＭＡ）システム等を含んでいる。ＳＤＭＡシステムは、複数のユーザ端末に属するデータを同時に送信するために、十分に異なる方向を利用しうる。ＴＤＭＡシステムによって、複数のユーザ端末は、送信信号を複数の異なる時間スロットに分割することによって、同じ周波数チャネルを共有できるようになる。ここで、おのおのの時間スロットは、異なるユーザ端末に割り当てられる。ＯＦＤＭＡシステムは、直交周波数分割多重（ＯＦＤＭ）を利用する。これは、システム帯域幅全体を、複数の直交サブ・キャリアへ分割する変調技術である。これらサブ・キャリアはまた、トーン、ビン等とも称されうる。各サブ・キャリアは、ＯＦＤＭを用いて、データと独立して変調される。ＳＣ−ＦＤＭＡシステムは、システム帯域幅にわたって分散されたサブ・キャリアで送信するインタリーブＦＤＭＡ（ＩＦＤＭＡ）、隣接するサブ・キャリアのブロックで送信するローカライズドＦＤＭＡ（ＬＦＤＭＡ）、あるいは、隣接するサブ・キャリアの複数のブロックで送信するエンハンストＦＤＭＡ（ＥＦＤＭＡ）を利用する。一般に、変調シンボルは、ＯＦＤＭでは周波数領域で、ＳＣ−ＦＤＭＡでは時間領域で送信される。
【００１９】
本明細書に記載された教示は、さまざまな有線装置または無線装置（例えば、ノード）へ組み込まれうる（例えば、これら内で実行されるか、これらによって実施される）。いくつかの態様では、本明細書における教示したがって実施される無線ノードは、アクセス・ポイントまたはアクセス端末を備えうる。
【００２０】
アクセス・ポイント（“ＡＰ”）は、ノードＢ、ラジオ・ネットワーク・コントローラ（“ＲＮＣ”）、イボルブド・ノードＢ（ｅＮＢ）、基地局コントローラ（“ＢＳＣ”）、基地トランシーバ局（“ＢＴＳ”）、基地局（“ＢＳ”）、トランシーバ機能（“ＴＦ”）、ラジオ・ルータ、ラジオ・トランシーバ、基本サービス・セット（“ＢＳＳ”）、拡張サービス・セット（“ＥＳＳ”）、ラジオ基地局（“ＲＢＳ”）、または、その他いくつかの用語として知られているか、備えているか、または実現されうる。
【００２１】
例えば、アクセス端末（“ＡＴ”）は、加入者局、加入者ユニット、移動局、遠隔局、遠隔端末、ユーザ端末、ユーザ・エージェント、ユーザ・デバイス、ユーザ機器、ユーザ局、またはその他いくつかの用語として知られているか、備えているか、または実現されうる。いくつかの実施において、アクセス端末は、セルラ電話、コードレス電話、セッション開始プロトコル（“ＳＩＰ”）電話、無線ローカル・ループ（“ＷＬＬ”）局、携帯情報端末（“ＰＤＡ”）、無線接続機能を有するハンドヘルド・デバイス、局（“ＳＴＡ”）、あるいは無線モデムに接続されたその他いくつかの適切な処理デバイスを備えうる。したがって、本明細書で教示された１または複数の態様は、電話（例えば、セルラ電話またはスマート・フォン）、コンピュータ（例えば、ラップトップ）、ポータブル通信デバイス、ポータブル・コンピューティング・デバイス（例えば、情報携帯端末）、エンタテイメント・デバイス（例えば、音楽またはビデオ・デバイス、または衛星ラジオ）、全地球測位システム・デバイス、あるいは無線媒体または有線媒体によって通信するように構成されたその他任意の適切なデバイスに組み入れられうる。いくつかの態様では、ノードは無線ノードである。このような無線ノードは、例えば、有線または無線による通信リンクによる（例えば、インターネットまたはセルラ・ネットワークのような広域ネットワークのような）ネットワークへの、または、ネットワークのための接続を提供しうる。
【００２２】
図１は、アクセス・ポイントおよびユーザ端末を備えた多元接続複数入力複数出力（ＭＩＭＯ）システム１００を例示する。簡略のために、図１には、１つのアクセス・ポイント１１０だけしか示されていない。アクセス・ポイントは、一般に、ユーザ端末と通信する固定局であり、基地局、またはその他いくつかの用語でも称されうる。ユーザ端末は、据置式または移動式であり、移動局、無線デバイス、またはその他いくつかの用語でも称されうる。アクセス・ポイント１１０は、ダウンリンクおよびアップリンクにおいて、所与の瞬間において、１または複数のユーザ端末１２０と通信しうる。ダウンリンク（すなわち、順方向リンク）は、アクセス・ポイントからユーザ端末への通信リンクであり、アップリンク（すなわち、逆方向リンク）は、ユーザ端末からアクセス・ポイントへの通信リンクである。ユーザ端末はまた、別のユーザ端末とピア・トゥ・ピアを通信しうる。システム・コントローラ１３０は、アクセス・ポイントに接続しており、アクセス・ポイントのための調整および制御を与える。
【００２３】
ある開示のために、後述する説明の一部は、空間分割多元接続（ＳＤＭＡ）で通信することが可能なユーザ端末１２０を説明しているが、ユーザ端末１２０はまた、ＳＤＭＡをサポートしないいくつかのユーザ端末をも含みうる。したがって、このような態様のために、ＡＰ１１０は、ＳＤＭＡユーザ端末と非ＳＤＭＡユーザ端末との両方と通信するように構成されうる。このアプローチによって、便利なことに、古いバージョンのユーザ端末（「レガシー」局）は、エンタープライズ内に引き続き配置され、有用な寿命を延ばすことができるようになるとともに、新たなＳＤＭＡユーザ端末が、適切なものとみなされて導入されるようになる。
【００２４】
システム１００は、ダウンリンクおよびアップリンクにおけるデータ送信のために複数の送信アンテナおよび複数の受信アンテナを適用する。アクセス・ポイント１１０は、Ｎａｐ個のアンテナを装備しており、ダウンリンク送信のための複数の入力（ＭＩ）と、アップリンク送信のための複数の出力（ＭＯ）とを示す。Ｋ個の選択されたユーザ端末１２０のセットは、集合的に、ダウンリンク送信のための複数の出力と、アップリンク送信のための複数の入力とを示す。純粋なＳＤＭＡの場合、Ｋ個のユーザ端末のためのデータ・シンボル・ストリームが、ある手段によって、符号、周波数、または時間で多重化されていない場合、Ｎａｐ≧Ｋ≧１を有することが望まれる。データ・シンボル・ストリームが、ＴＤＭＡ技術を用いて、ＣＤＭＡで異なる符号チャネルを用いて、ＯＦＤＭでサブ帯域の別のセットを用いて、等で多重化されうるのであれば、Ｋは、Ｎａｐよりも大きくなりうる。選択された各ユーザ端末は、ユーザ特有データをアクセス・ポイントへ送信するか、および／または、ユーザ特有データをアクセス・ポイントから受信する。一般に、選択されたユーザ端末はそれぞれ、１または複数のアンテナ（つまり、Ｎｕｔ≧１）を装備しうる。Ｋ個の選択されたユーザ端末は、同じまたは異なる数のアンテナを有しうる。
【００２５】
このシステム１００は、時分割デュプレクス（ＴＤＤ）システムまたは周波数分割デュプレクス（ＦＤＤ）システムをサポートしうる。ＴＤＤシステムの場合、ダウンリンクおよびアップリンクは、同じ周波数帯域を共有する。ＦＤＤシステムの場合、ダウンリンクおよびアップリンクは、異なる周波数帯を使用する。ＭＩＭＯシステム１００はさらに、送信のために単一のキャリアまたは複数のキャリアを利用しうる。ユーザ端末はそれぞれ、（例えば、コスト・ダウンを維持するために）単一アンテナを、あるいは、（例えば、追加コストが支援されうる場合）複数アンテナを装備しうる。ユーザ端末１２０が、送信／受信を、別の時間スロットに分割することによって、同じ周波数チャネルを共有する場合、システム１００は、ＴＤＭＡシステムでもありうる。ここで、おのおのの時間スロットは、異なるユーザ端末１２０に割り当てられる。
【００２６】
図２は、ＭＩＭＯシステム１００におけるアクセス・ポイント１１０と２つのユーザ端末１２０ｍ，１２０ｘのブロック図を例示する。アクセス・ポイント１１０は、アンテナ２２４ａ乃至２２４ｔを装備している。ユーザ端末１２０ｍは、Ｎｕｔ，ｍ個のアンテナ２５２ｍａ乃至２５２ｍｕを装備し、ユーザ端末１２０ｘは、Ｎｕｔ，ｘ個のアンテナ２５２ｘａ乃至２５２ｘｕを装備している。アクセス・ポイント１１０は、ダウンリンクのための送信エンティティ、およびアップリンクのための受信エンティティである。ユーザ端末１２０はそれぞれ、アップリンクのための送信エンティティ、およびダウンリンクのための受信エンティティである。本明細書で使用されるように、「送信エンティティ」は、無線チャネルを介してデータを送信することが可能な、独立して動作する装置またはデバイスであり、「受信エンティティ」は、無線チャネルを介してデータを受信することが可能な、独立して動作する装置またはデバイスである。後述する説明では、添字“ｄｎ”は、ダウンリンクを示し、添字“ｕｐ”は、アップリンクを示し、Ｎｕｐ個のユーザ端末が、アップリンクにおける同時通信のために選択され、Ｎｄｎ個のユーザ端末が、ダウンリンクにおける同時通信のために選択され、Ｎｕｐは、Ｎｄｎと等しい場合も、等しくない場合もあり、ＮｕｐおよびＮｄｎは、固定値であることも、各スケジューリング・インタバルについて変動する場合もありうる。ビーム・ステアリングまたはその他のある空間処理技術が、アクセス・ポイントおよびユーザ端末において使用されうる。
【００２７】
アップリンクでは、アップリンク送信のために選択された各ユーザ端末１２０において、ＴＸデータ・プロセッサ２８８が、データ・ソース２８６からトラフィック・データを、コントローラ２８０から制御データを受け取る。ＴＸデータ・プロセッサ２８８は、ユーザ端末のために選択されたレートに関連付けられた符号化スキームおよび変調スキームに基づいて、ユーザ端末のためのトラフィック・データを処理（例えば、符号化、インタリーブ、および変調）し、データ・シンボル・ストリームを提供する。ＴＸ空間プロセッサ２９０は、データ・シンボル・ストリームについて空間処理を実行し、Ｎｕｔ，ｍ個のアンテナのために、Ｎｕｔ，ｍ個の送信シンボルを提供する。各送信機ユニット（ＴＭＴＲ）２５４は、それぞれの送信シンボル・ストリームを受信して処理（例えば、アナログ変換、増幅、フィルタ、および周波数アップコンバート）し、アップリンク信号を生成する。Ｎｕｔ，ｍ個の送信機ユニット２５４は、Ｎｕｔ，ｍ個のアンテナ２５２からアクセス・ポイントへ送信のために、Ｎｕｔ，ｍ個のアップリンク信号を提供する。
【００２８】
Ｎｕｐ個のユーザ端末は、アップリンクにおける同時通信のためにスケジュールされうる。これらユーザ端末の各々は、データ・シンボル・ストリームについて空間処理を実行し、送信シンボル・ストリームのセットを、アップリンクで、アクセス・ポイントへ送信する。
【００２９】
アクセス・ポイント１１０では、Ｎａｐ個のアンテナ２２４ａ乃至２２４ａｐが、アップリンクで送信しているＮｕｐ個すべてのユーザ端末から、アップリンク信号を受信する。各アンテナ２２４は、受信した信号を、それぞれの受信機ユニット（ＲＣＶＲ）２２２に提供する。各受信機ユニット２２２は、送信機ユニット２５４によって実行されるものに対して相補的な処理を実行し、受信したシンボル・ストリームを提供する。ＲＸ空間プロセッサ２４０は、Ｎａｐ個の受信機ユニット２２２から受信したＮａｐ個のシンボル・ストリームについて受信機空間処理を実行し、復元されたＮａｐ個のアップリンク・データ・シンボル・ストリームを提供する。受信機空間処理は、チャネル相関行列変換（ＣＣＭＩ）、最小平均平方誤差（ＭＭＳＥ）、ソフト干渉除去（ＳＩＣ）、またはその他いくつかの技術にしたがって実行される。復号された各アップリンク・データ・シンボル・ストリームは、それぞれのユーザ端末によって送信されたデータ・シンボル・ストリームの推定値である。ＲＸデータ・プロセッサ２４２は、復号されたデータを取得するためにそのストリームのために使用されたレートにしたがって、復号されたアップリンク・データ・シンボル・ストリームを処理（例えば、復調、デインタリーブ、および復号）する。各ユーザ端末の復号されたデータは、格納のためにデータ・シンク２４４へ、および／または、さらなる処理のためにコントローラ２３０へ提供されうる。
【００３０】
ダウンリンクでは、アクセス・ポイント１１０において、ＴＸデータ・プロセッサ２１０は、ダウンリンク送信のためにスケジュールされたＮｄｎ個のユーザ端末のためのトラフィック・データをデータ・ソース２０８から、制御データをコントローラ２３０から、そして、恐らくはその他のデータをスケジューラ２３４から受信する。さまざまなタイプのデータが、異なる伝送チャネルで送信されうる。ＴＸデータ・プロセッサ２１０は、そのユーザ端末のために選択されたレートに基づいて、各ユーザ端末のためのトラフィック・データを処理（例えば、符号化、インタリーブ、および変調）する。ＴＸデータ・プロセッサ２１０は、Ｎｄｎ個のユーザ端末のためにＮｄｎ個のダウンリンク・データ・シンボル・ストリームを提供する。ＴＸ空間プロセッサ２２０は、Ｎｄｎ個のダウンリンク・データ・シンボル・ストリームについて（例えば、本開示で説明されるようなプリコーディングまたはビームフォーミングのような）空間処理を実行し、Ｎａｐ個のアンテナのためにＮａｐ個の送信シンボル・ストリームを提供する。各送信機ユニット２２２はそれぞれ、ダウンリンク信号を生成するために、それぞれの送信シンボル・ストリームを受信して処理する。Ｎａｐ個の送信機ユニット２２２は、Ｎａｐ個のアンテナ２２４からユーザ端末への送信のためのダウンリンク信号を提供する。
【００３１】
各ユーザ端末１２０では、Ｎｕｔ，ｍ個のアンテナ２５２が、アクセス・ポイント１１０からＮａｐ個のダウンリンク信号を受信する。各受信機ユニット２５４は、関連するアンテナ２５２からの受信信号を処理し、受信シンボル・ストリームを提供する。ＲＸ空間プロセッサ２６０は、受信ユニット２５４からの受信シンボル・ストリームについて受信機空間処理を実行し、ユーザ端末のために復元されたダウンリンク・データ・シンボル・ストリームを提供する。受信機空間処理は、ＣＣＭＩ、ＭＭＳＥ、またはその他いくつかの技術にしたがって実行される。ＲＸデータ・プロセッサ２７０は、ユーザ端末のために復号されたデータを取得するために、復元されたダウンリンク・データ・シンボル・ストリームを処理（例えば、復調、デインタリーブ、および復号）する。
【００３２】
各ユーザ端末１２０では、チャネル推定器２７８が、ダウンリンク・チャネル応答を推定し、ダウンリンク・チャネル推定値を提供する。これは、チャネル・ゲイン推定値、ＳＮＲ推定値、ノイズ分散等を含みうる。同様に、チャネル推定器２２８は、アップリンク・チャネル応答を推定し、アップリンク・チャネル推定値を提供する。各ユーザ端末のコントローラ２８０は、一般に、ユーザ端末のためのダウンリンク・チャネル応答行列Ｈｄｎ，ｍに基づいて、ユーザ端末のための空間フィルタ行列を導出する。コントローラ２３０は、実効的なアップリンク・チャネル応答行列Ｈｕｐ，ｅｆｆに基づいて、アクセス・ポイントのための空間フィルタ行列を導出する。各ユーザ端末のコントローラ２８０は、アクセス・ポイントへフィードバック情報（例えば、ダウンリンクおよび／またはアップリンクの固有ベクトル、固有値、ＳＮＲ推定値等）を送信しうる。コントローラ２３０，２８０はさらに、アクセス・ポイント１１０およびユーザ端末１２０それぞれにおけるさまざまな処理ユニットの動作を制御する。
【００３３】
図３は、無線通信システム（例えば、図１のシステム１００）内で適用されうる無線デバイス３０２内で利用されうるさまざまな構成要素を示す。無線デバイス３０２は、本明細書で説明されるさまざまな方法を実施するために構成され得るデバイスの例である。無線デバイス３０２は、アクセス・ポイント１１０またはユーザ端末１２０でありうる。
【００３４】
無線デバイス３０２は、無線デバイス３０２の動作を制御するプロセッサ３０４を含みうる。このプロセッサ３０４は、中央制御装置（ＣＰＵ）とも称されうる。読取専用メモリ（ＲＯＭ）とランダム・アクセス・メモリ（ＲＡＭ）との両方を含みうるメモリ３０６が、プロセッサ３０４に命令およびデータを提供する。メモリ３０６の一部は、不揮発性ランダム・アクセス・メモリ（ＮＶＲＡＭ）をも含みうる。プロセッサ３０４は、通常、メモリ３０６に格納されたプログラム命令に基づいて、論理演算および算術演算を実行する。本明細書で説明される方法を実施するために、メモリ３０６内の命令が実行可能とされうる。
【００３５】
無線デバイス３０２は、無線デバイス３０２と遠隔位置との間でのデータの送信および受信を可能にする送信機３１０および受信機３１２を含みうるハウジング３０８をも含みうる。送信機３１０および受信機３１２は、トランシーバ３１４に結合されうる。単一あるいは複数の送信アンテナ３１６が、ハウジング３０８に取り付けられ、トランシーバ３１４に電気的に接続されうる。無線デバイス３０２はまた、（図示しない）複数の送信機、複数の受信機、および複数のトランシーバを含みうる。
【００３６】
無線デバイス３０２は、トランシーバ３１４によって受信された信号を検出し、そのレベルを定量化する目的で使用される信号検出器３１８をも含みうる。信号検出器３１８は、合計エネルギ、シンボル毎のサブキャリア毎のエネルギ、電力スペクトル密度、およびその他の信号のような信号を検出しうる。無線デバイス３０２は、信号を処理する際に使用されるデジタル信号プロセッサ（ＤＳＰ）３２０をも含みうる。
【００３７】
無線デバイス３０２のさまざまな構成要素を、データ・バスに加えて電力バス、制御信号バス、およびステータス信号バスを含みうるバス・システム３２２によってともに結合することができる。
【００３８】
（プリアンブル構造の例）  
図４は、本開示のある態様にしたがう、プリアンブル４００の構造の例を例示する。プリアンブル４００は、例えば、無線ネットワーク（例えば、図１に例示するシステム１００）において、アクセス・ポイント（ＡＰ）１１０からユーザ端末１２０へ送信されうる。
【００３９】
プリアンブル４００は、全レガシー部４０２（すなわち、非ビームフォーム部）と、プリコード８０２．１１ａｃ  ＶＨＴ（超高スループット）部４０４とを備えうる。レガシー部４０２は、レガシー・ショート・トレーニング・フィールド（Ｌ−ＳＴＦ）４０６、レガシー・ロング・トレーニング・フィールド４０８、レガシー信号（Ｌ−ＳＩＧ）フィールド４１０、ＶＨＴ信号Ａ（ＶＨＴ−ＳＩＧ−Ａ）フィールドのための２つのＯＦＤＭシンボル４１２，４１４を備えうる。ＶＨＴ−ＳＩＧ−Ａフィールド４１２，４１４は、全方向的に送信され、空間ストリーム数の割当を、ＳＴＡの組み合わせ（セット）に示しうる。ある態様の場合、ＳＴＡの特定のセットがＭＵ−ＭＩＭＯ送信の空間ストリームを受信するであろうことを、サポートされているすべてのＳＴＡへ伝えるために、プリアンブル４００に、グループ識別子（グループＩＤ）フィールド４１６が含まれうる。
【００４０】
プリコード８０２．１１ａｃ  ＶＨＴ部４０４は、超高スループット・ショート・トレーニング・フィールド（ＶＨＴ−ＳＴＦ）４１８、超高スループット・ロング・トレーニング・フィールド１（ＶＨＴ−ＬＴＦ１）４２０、超高スループット・ロング・トレーニング・フィールド（ＶＨＴ−ＬＴＦ）４２２、超高スループット信号フィールド・タイプＢ（ＶＨＴ−ＳＩＧ−Ｂフィールド）４２４、およびデータ部４２６を備えうる。ＶＨＴ−ＳＩＧ−Ｂフィールドは、１つのＯＦＤＭシンボルを備え、プリコード／ビームフォームされて送信されうる。
【００４１】
ロバストなＭＵ−ＭＩＭＯ受信は、ＡＰが、すべてのＶＨＴ−ＬＴＦ４２２を、サポートされているすべてのＳＴＡへ送信することを含みうる。ＶＨＴ−ＬＴＦ４２２によって、各ＳＴＡは、すべてのＡＰアンテナからＳＴＡのアンテナへのＭＩＭＯチャネルを推定できるようになりうる。ＳＴＡは、他のＳＴＡに対応するＭＵ−ＭＩＭＯストリームから、実効的な干渉ヌルイングを実行するために、この推定されたチャネルを利用しうる。ロバストな干渉除去を実行するために、各ＳＴＡは、そのＳＴＡにどの空間ストリームが属しているかと、他のユーザにどの空間ストリームが属しているのかとを知ることが期待されうる。
【００４２】
（ＮＤＰにおけるＶＨＴ−ＳＩＧ−Ｂフィールドの例）  
前述したように、空間ストリーム位置をＳＴＡへ伝えるために、ＷＬＡＮのためのＤＬ  ＭＵ−ＭＩＭＯ送信においてグループが形成されうる。ＩＥＥＥ  ８０２．１１ａｃの場合、グループＩＤがＮＤＰ（ヌル・データ・パケット）についてゼロに設定され、単一ユーザ（ＳＵ）パケットとなる。ＮＤＰにデータが無いと仮定すると、（例えば、Ｌ−ＳＩＧフィールド４１０における）長さフィールドがゼロに設定され、少数の予約ビットが１に設定されうる。ＮＤＰのプリアンブルからＶＨＴ−ＳＩＧ−Ｂフィールドを除去する提案が期待されている。
【００４３】
しかしながら、後述するように、ＮＤＰにおけるＶＨＴ−ＳＩＧ−Ｂフィールドを利用する方法がある。ＮＤＰにおいてＶＨＴ−ＳＩＧ−Ｂフィールドを保持するさまざまな利点は、  
・統一されたＩＥＥＥ  ８０２．１１ａｃプリアンブル構造を保持すること、  
・ビームフォーミング・フィードバックを処理するために４μ秒のさらなる時間を与えること、  
・ＮＤＰにおける干渉レベルを判定するために、ＶＨＴ−ＳＩＧ−Ｂフィールドにおける情報を用いること、  
を含みうる。
【００４４】
ある態様の場合、Ｌ−ＳＩＧフィールド４１０内の適切な長さインジケーションを求めてチェックすることによって、ＶＨＴパケットは、ＮＤＰであると判定されうる。先ず、ＶＨＴ  ＮＤＰについて、Ｌ＿ＬＥＮＧＨＴが、（３＋ＮＶＨＴ−ＬＴＦ＋１）＊３−３であると定義されうる。次に、受信機が、受信したパケットがＮＤＰであるかを判定するために、Ｌ−ＳＩＧフィールド４１０において示される長さが、Ｌ＿ＬＥＮＧＴＨに等しいか否かをチェックしうる。
【００４５】
ＮＤＰにおけるＶＨＴ−ＳＩＧ−Ｂフィールドのコンテンツは、さまざまなオプションのうちの１つまたは組み合わせから選択されうる。これらのうちのいくつかが、後述される。
【００４６】
（オプション１）  
ある態様の場合、ＮＤＰのためのＶＨＴ−ＳＩＧ−Ｂフィールド４２４のコンテンツは、反復されたＶＨＴ−ＬＴＦシンボルのうちの少なくとも一部を備えうる。このＶＨＴ−ＬＴＦシンボルは、プリアンブル４００内のＶＨＴ−ＬＴＦ４２０，４２２のうちの何れかのコンテンツから反復されうる。ある態様の場合、反復されたＶＨＴ−ＬＴＦシンボルは、フィードバックのために、チャネル状態情報（ＣＳＩ）の精度をわずかに高めるために使用されうる。その他の態様の場合、反復されたＶＨＴ−ＬＴＦシンボルは、残りの周波数オフセットのための補正のために使用されうる。
【００４７】
（オプション２）  
ある態様の場合、ＮＤＰのためのＶＨＴ−ＳＩＧ−Ｂフィールド４２４のコンテンツは、専用のビット・パターンを備えうる。このオプションは、少なくとも、この開示で提供された４つのオプションの複合でありうる。この場合、ビット・パターンにおけるチェック自身が、十分なロバストさを提供するので、ＣＲＣ（巡回冗長検査）を行なう必要はない。
【００４８】
ある態様の場合、使用されている専用のビット・パターンは、通常の、非ヌルなＳＵ  ＶＨＴ  ＰＰＤＵ（物理レイヤ変換プロトコル（ＰＬＣＰ）プロトコル・データ・ユニット）のＶＨＴ−ＳＩＧ−Ｂフィールドと同じコンテンツを有しうる。ＮＤＰの場合、（例えば、Ｌ−ＳＩＧフィールド４１０における）長さフィールドは０になるであろう。しかしながら、この技術の１つの欠点は、ゼロに設定された長さフィールドを持つＶＨＴ−ＳＩＧ−Ｂのピーク対平均電力比（ＰＡＰＲ）が高いことである。例えば、この技術を用いて４回オーバサンプルされたＩＦＦＴ（逆高速フーリエ変換）を用いた場合、ＰＡＰＲは、１２．０６ｄＢ（２０ＭＨｚ）、１５．２１ｄＢ（４０ＭＨｚ）または１５．７２ｄＢ（８０ＭＨｚ）と等しくなりうる。
【００４９】
その他の態様の場合、専用のビット・パターンは、２０／４０／８０ＭＨｚチャネルのために２０／２１／２３の利用可能なＶＨＴ−ＳＩＧ−Ｂビットを備え、例えば、低いＰＡＰＲを有するように選択されうる。
【００５０】
（最初に最下位ビット（ＬＳＢ）を示している）以下のシーケンスは、４回オーバサンプルされたＩＦＦＴを用いた場合、最小のＰＡＰＲとなりうる。  
ｏ  ２０ＭＨｚ：０  ０  ０  ０  ０  １  １  １  ０  １  ０  ０  ０  １  ０  ０  ０  ０  １  ０（ＰＡＰＲ＝３．１６ｄＢ）  
ｏ  ４０ＭＨｚ：１  ０  １  ０  ０  １  ０  １  １  ０  １  ０  ０  ０  １  ０  ０  ０  ０  １  １（ＰＡＰＲ＝５．４２ｄＢ）  
ｏ  ８０ＭＨｚ：０  １  ０  １  ０  ０  １  １  ０  ０  １  ０  １  １  １  １  １  １  １  ０  ０  １  ０（ＰＡＰＲ＝５．１３ｄＢ）
その他の態様の場合、専用のビット・パターンは、２０／４０／８０ＭＨｚチャネルのために２０／２１／２３の利用可能なＶＨＴ−ＳＩＧ−Ｂビットを備え、例えば、低いＰＡＰＲを有するように選択されうる。しかし、ビットの一部（例えば、最初の部分）は、常に同じでありうる。例えば、ＶＨＴ−ＳＩＧ−Ｂフィールドのビット・パターンの最初の２０ビットが、等しい場合がありうる。
【００５１】
（最初に最下位ビット（ＬＳＢ）を示している）以下のビット・シーケンスは、４回オーバサンプルされたＩＦＦＴを用いた場合、再使用された最初の２０ビットで、最低のＰＡＰＲとなりうる。  
ｏ  ２０ＭＨｚ：１  ０  ０  ０  ０  ０  １  １  １  ０  ０  １  １  ０  １  １  １  １  ０  １（ＰＡＰＲ＝４．９４ｄＢ）  
ｏ  ４０ＭＨｚ：１  ０  ０  ０  ０  ０  １  １  １  ０  ０  １  １  ０  １  １  １  １  ０  １  １（ＰＡＰＲ＝５．９７ｄＢ）  
ｏ  ８０ＭＨｚ：１  ０  ０  ０  ０  ０  １  １  １  ０  ０  １  １  ０  １  １  １  １  ０  １  ０  ０  １（ＰＡＰＲ＝６．０８ｄＢ）
（オプション３）  
ある態様の場合、ＮＤＰのためのＶＨＴ−ＳＩＧ−Ｂフィールド４２４のコンテンツは、基本サービス・セット識別子（ＢＳＳＩＤ）の少なくとも一部を備えうる。例えば、ＶＨＴ−ＳＩＧ−Ｂフィールドは、２０／４０／８０ＭＨｚチャネルのために、ＢＳＳＩＤの２０／２１／２３ＬＳＢを備えうる。ＮＤＰのＶＨＴ−ＳＩＧ−ＢにおいてＢＳＳＩＤの一部を用いることは、このＮＤＰが正しいＢＳＳＩＤに由来していることをチェックする手段を提供しうる。このオプションを用いれば、ＢＳＳＩＤのＬＳＢにおけるチェックは、十分なロバストさを提供するので、ＣＲＣが実行される必要はない。
【００５２】
（オプション４）  
ある態様の場合、ＮＤＰのＶＨＴ−ＳＩＧ−Ｂフィールド４２４のコンテンツは、ＮＤＰシーケンス番号を備える。ある態様の場合、ＶＨＴ−ＳＩＧ−Ｂフィールドの一部が、ＮＤＰシーケンス番号を備え、残りの部分が、ＢＳＳＩＤのビットの番号（例えば、ＬＳＢ）を備えうる。このオプションは、このＮＤＰが正しいＢＳＳＩＤから由来しているかと、このＮＤＰが正しいシーケンス番号を有しているかと、をチェックする手段を提供しうる。このオプションを用いることにより、ＢＳＳＩＤのＮＤＰシーケンス番号とＬＳＢ（またはその他のビット）におけるチェックが、十分なロバストさを提供するので、ＣＲＣを実行する必要はない。
【００５３】
ある態様の場合、前述した４つのオプションのうちの１または複数にしたがって、送信エンティティ（例えば、ＡＰ１１０）において、ＶＨＴ−ＮＤＰのＶＨＴ−ＳＩＧ−Ｂフィールド４２４に、専用の情報が追加されうる。ある態様の場合、干渉のレベルを判定するために、ＶＨＴ−ＮＤＰのＶＨＴ−ＳＩＧ−Ｂにおける専用の情報が、受信エンティティ（例えば、ユーザ端末１２０）において処理されうる。態様では、干渉のレベルに依存して、受信エンティティが、（１）ビームフォーミング・フィードバック（例えば、ＣＳＩフィードバック、または、（非）圧縮ビームフォーミング行列フィードバック）を変更して、変更されたビームフォーミング・フィードバックを送信すること、または、（２）ビームフォーミング・フィードバックをまったく返信しないこと、の何れかを実行することを決定しうる。
【００５４】
図５は、本開示のある態様にしたがって、例えば、情報を含むヌル・データ・パケット（ＮＤＰ）のプリアンブルにＶＨＴ−ＳＩＧ−Ｂフィールドを有するＮＤＰを生成するためにアクセス・ポイント（ＡＰ）において実行されうる動作５００の例を例示する。この動作５００は、ＶＨＴ−ＳＩＧ−Ｂフィールドを備えたプリアンブルを有する非ヌル・データ・パケットを送信することによって、５０２で始まりうる。５０４では、ヌル・データ・パケット（ＮＤＰ）が生成されうる。ここで、ＮＤＰのプリアンブルのＶＨＴ−ＳＩＧ−Ｂフィールドは情報を備える。ＶＨＴ−ＳＩＧ−Ｂフィールドにおけるこのような情報は、従来のＮＤＰでは何ら有用な情報を含むことなく予約ビットが１に設定されていたこととは逆に、この情報を受信しているユーザ端末によって使用されうる。５０６では、ＮＤＰが送信されうる。
【００５５】
図６は、本開示のある態様にしたがって、例えば、情報を含むヌル・データ・パケット（ＮＤＰ）のプリアンブルにＶＨＴ−ＳＩＧ−Ｂフィールドを有するＮＤＰを受信するためにユーザ端末において実行されうる動作６００の例を例示する。この動作６００は、６０２において、ＶＨＴ−ＳＩＧ−Ｂフィールドを備えたプリアンブルを有する非ヌル・データ・パケットを受信することによって始まりうる。６０４では、ＮＤＰが受信されうる。ここで、ＮＤＰのプリアンブルのＶＨＴ−ＳＩＧ−Ｂフィールドは情報を含む。オプションとして、ある態様の場合、６０６において、この情報に基づいて干渉が判定されうる。
【００５６】
前述した方法のさまざまな動作は、対応する機能を実行することが可能な任意の適切な手段によって実行されうる。これら手段は、限定される訳ではないが、回路、特定用途向け集積回路（ＡＳＩＣ）、またはプロセッサを含むさまざまなハードウェア構成要素および／またはソフトウェア構成要素および／またはモジュールを含みうる。一般に、図面に例示された動作が存在する場合、これら動作は、同じ符番を付された対応するｍｅａｎｓ−ｐｕｌｓ−ｆｕｃｔｉｏｎ構成要素を有しうる。例えば、図５に例示される動作５００は、図５Ａに例示された手段５００Ａに対応し、図６に例示する動作６００は、図６Ａに例示された手段６００Ａに対応する。
【００５７】
例えば、送信する手段は、例えば、図２に例示されたアクセス・ポイント１１０の送信機ユニット２２２、図２に図示されたユーザ端末１２０の送信機ユニット２５４、または、図３に示された無線デバイス３０２の送信機３１０のような送信機を備えうる。受信する手段は、例えば、図２に例示されたアクセス・ポイント１１０の受信機ユニット２２２、図２に図示されたユーザ端末１２０の受信機ユニット２５４、または、図３に示された無線デバイス３０２の受信機３１２のような受信機を備えうる。処理する手段、判定する手段、変更する手段、生成する手段、補正する手段、および／または、チェックする手段は、例えば、図２に例示するように、ユーザ端末１２０のＲＸデータ・プロセッサ２７０および／またはコントローラ２８０、または、アクセス・ポイント１１０のＲＸデータ・プロセッサ２４２および／またはコントローラ２３０のように、１または複数のプロセッサを含みうる処理システムを備えうる。
【００５８】
本明細書で使用される場合、用語「判定すること（ｄｅｔｅｒｍｉｎｉｎｇ）」は、さまざまな動作を含む。例えば、「判定すること」は、計算、コンピューティング、処理、導出、調査、ルックアップ（例えば、テーブル、データベース、または他のデータ構造内のルックアップ）、確認等を行うことを含みうる。また、「判定すること」は、受信（例えば、情報の受信）、アクセス（例えば、メモリ内のデータへのアクセス）等を行うことを含みうる。また、「判定すること」は、解決、選択、選定、確立等を行うことを含みうる。
【００５９】
本明細書に記載されるように、アイテムのリストのうちの「少なくとも１つ」と称する文言は、単数を含むこれらアイテムのうちの任意の組み合わせを称する。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることが意図されている。
【００６０】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロプロセッサでありうるが、代替案では、プロセッサは、任意の市販のプロセッサ、コントローラ、マイクロコントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００６１】
本開示に関連して説明された方法またはアルゴリズムのステップを、ハードウェアで直接的に、プロセッサによって実行されるソフトウェア・モジュールによって、またはこの２つの組合せによって実施することができる。ソフトウェア・モジュールは、当該技術分野において周知のすべての形式の記憶媒体に常駐しうる。使用されうる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にわたって分散されうる。記憶媒体は、プロセッサが記憶媒体から情報を読み取り、記憶媒体に情報を書き込めるように、プロセッサに結合されうる。あるいは、この記憶媒体は、プロセッサに統合されうる。
【００６２】
本明細書で開示された方法は、説明された方法を達成するための１または複数のステップまたは動作を備える。方法ステップおよび／または動作は、特許請求の範囲のスコープから逸脱せずに相互に置換されうる。言い換えると、ステップまたは動作の特定の順序が指定されていない限り、特定のステップおよび／または動作の順序および／または使用は、特許請求の範囲のスコープから逸脱せずに変更されうる。
【００６３】
記載された機能は、ハードウェア、ソフトウェア、ファームウェア、またはこれら任意の組み合わせによって実現されうる。ハードウェアで実現される場合、ハードウェア構成の例は、無線ノード内の処理システムを備えうる。処理システムは、バス・アーキテクチャを用いて実現されうる。バスは、全体的な設計制約および処理システムの特定の用途に依存して、任意の数の相互接続バスおよびブリッジを含みうる。バスは、プロセッサ、機械読取可能な媒体、およびバス・インタフェースを含む回路をともにリンクしうる。バス・インタフェースは、とりわけ、ネットワーク・アダプタを、バスを介して、処理システムへ接続するために使用されうる。ネットワーク・アダプタは、物理レイヤの信号処理機能を実現するために使用されうる。ユーザ端末１２０（図１を参照）の場合には、ユーザ・インタフェース（例えば、キーパッド、ディスプレイ、マウス、ジョイスティック等）も、バスに接続されうる。バスはさらに、例えば、タイミング・ソース、周辺機器、電圧制御装置、および電力管理回路等のようなその他さまざまな回路をリンクしうる。これらは、当該技術分野で良く知られているので、さらなる説明はしない。
【００６４】
プロセッサは、バスの管理、および、機械読取可能な媒体に格納されたソフトウェアの実行を含む一般的な処理を担当する。プロセッサは、１または複数の汎用プロセッサおよび／または特別目的プロセッサを用いて実現されうる。例は、マイクロプロセッサ、マイクロコントローラ、ＤＳＰプロセッサ、および、ソフトウェアを実行することができるその他の回路、を含みうる。ソフトウェアは、ソフトウェア、ファームウェア、ミドルウェア、マクロコード、ハードウェア記述言語、あるいはその他で称されようとも、命令群、データ、あるいは、これらの任意の組み合わせを意味するように広く解釈されるものとする。機械読取可能な媒体は、例によれば、ＲＡＭ（ランダム・アクセス・メモリ）、フラッシュ・メモリ、ＲＯＭ（リード・オンリー・メモリ）、ＰＲＯＭ（プログラマブル・リード・オンリー・メモリ）、ＥＰＲＯＭ（消去可能プログラマブル・リード・オンリー・メモリ）、ＥＥＰＲＯＭ（電気的消去可能プログラマブル・リード・オンリー・メモリ）、レジスタ、磁気ディスク、光ディスク、ハード・ドライブ、またはその他任意の適切な記憶媒体、あるいはこれら任意の組み合わせを含みうる。機械読取可能な媒体は、コンピュータ・プログラム製品内に組み込まれうる。コンピュータ・プログラム製品は、パッケージング・マテリアルを備えうる。
【００６５】
ハードウェアによる実施では、機械読取可能な媒体は、プロセッサとは別の処理システムの一部でありうる。しかしながら、当業者であれば容易に理解するであろうが、機械読取可能な媒体またはその任意の部分は、処理システムの外部にありうる。例によれば、機械読取可能な媒体は、伝送路、データによって変調されたキャリア波、および／または、無線ノードから分離したコンピュータ製品を含みうる。これらすべては、バス・インタフェースを介してプロセッサによってアクセスされうる。あるいは、または、それに加えて、機械読取可能な媒体またはこれら任意の部分は、キャッシュおよび／または汎用レジスタ・ファイルによくあるように、プロセッサへ統合されうる。
【００６６】
処理システムは、プロセッサ機能を提供する１または複数のマイクロプロセッサと、機械読取可能な媒体のうちの少なくとも一部を提供する外部メモリと、を備える汎用処理システムとして構成されうる。１または複数のマイクロプロセッサと外部メモリはすべて、外部バス・アーキテクチャを介して他の支援回路にリンクされている。あるいは、処理システムは、プロセッサと、バス・インタフェースと、アクセス端末の場合、ユーザ・インターフェースと、サポート回路と、単一チップへ組み込まれた機械読取可能な媒体の少なくとも一部とを備えた、あるいは、１または複数のＦＰＧＡ（フィールド・プログラマブル・ゲート・アレイ）と、ＰＬＤ（プログラム論理回路）と、コントローラと、ステート・マシンと、ゲート・ロジックと、ディスクリート・ハードウェア構成要素と、またはその他の適切な回路とを備えた、あるいは、本開示を通じて記載されたさまざまな機能を実行しうる回路の任意の組み合わせを備えた、ＡＳＩＣ（特定用途向けＩＣ）を用いて実現されうる。当業者であれば、システム全体に課せられる全体的な設計制約および特定のアプリケーションに依存して、処理システムのために、記載された機能をどうやって最良に実施するかを認識するだろう。
【００６７】
機械読取可能な媒体は、多くのソフトウェア・モジュールを備えうる。ソフトウェア・モジュールは、プロセッサによって実行された場合、処理システムに対して、さまざまな機能を実行させるための命令群を含む。ソフトウェア・モジュールは、送信モジュールおよび受信モジュールを含みうる。ソフトウェア・モジュールはそれぞれ、単一のストレージ・デバイス内に存在するか、または、複数のストレージ・デバイスにわたって分散されうる。例によれば、ソフトウェア・モジュールは、トリガ・イベントが生じると、ハード・ドライブからＲＡＭへロードされうる。ソフトウェア・モジュールの実行中、プロセッサは、アクセス速度を増加させるために、命令のうちのいくつかをキャッシュにロードしうる。その後、プロセッサによる実行のために、１または複数のキャッシュ・ラインが、汎用レジスタ・ファイルへロードされうる。以下に示すソフトウェア・モジュールの機能を参照する場合、このような機能は、このソフトウェア・モジュールからの命令群を実行するときに、プロセッサによって実施されることが理解されるだろう。
【００６８】
ソフトウェアで実施される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ・プログラムを１つの場所から別の場所へ転送することを容易にする任意の媒体を含む通信媒体とコンピュータ記憶媒体との両方を含んでいる。記憶媒体は、コンピュータによってアクセスされる利用可能な任意の媒体でありうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線（ＩＲ）、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるようなディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびＢｌｕ−ｒａｙ（登録商標）ディスク（ｄｉｓｃ）を含んでいる。ここで、ｄｉｓｋは通常、データを磁気的に再生する一方、ｄｉｓｃは、レーザを用いてデータを光学的に再生する。したがって、いくつかの態様では、コンピュータ読取可能な媒体は、非一時的なコンピュータ読取可能な媒体（例えば、具体的な媒体）を備えうる。さらに、別の態様の場合、コンピュータ読取可能な媒体は、一時的なコンピュータ読取可能な媒体（例えば、信号）を備えうる。前述した組み合わせもまた、コンピュータ読取可能な媒体の範囲内に含まれるべきである。
【００６９】
したがって、ある態様は、本明細書に記載された動作を実行するためのコンピュータ・プログラム製品を備えうる。例えば、このようなコンピュータ・プログラム製品は、格納された（および／またはエンコードされた）命令群を有するコンピュータ読取可能な媒体を備える。これら命令群は、本明細書において記載された動作を実行するために、１または複数のプロセッサによって実行されることが可能である。ある態様の場合、コンピュータ・プログラム製品は、パッケージング・マテリアルを含みうる。
【００７０】
さらに、本明細書で説明された方法および技法を実行するためのモジュールおよび／または他の適切な手段を、適宜、ユーザ端末および／または基地局によってダウンロードし、かつ／または他の形式で入手することができることを了解されたい。例えば、このようなデバイスは、本明細書で説明した方法を実行するための手段の転送を容易にするためにサーバに結合されうる。代替案では、本明細書に記載されたさまざまな方法は、記憶手段（例えば、ＲＡＭ、ＲＯＭ、コンパクト・ディスク（ＣＤ）またはフロッピー・ディスクなどの物理記憶媒体など）を介して提供され、ユーザ端末および／または基地局は、記憶手段をデバイスに結合するか提供するときにさまざまな方法を取得しうる。さらに、本明細書で説明された方法および技法をデバイスに提供するために、その他任意の適切な技法が利用されうる。
【００７１】
特許請求の範囲は、上述した正確な構成および構成要素に限定されないことを理解されたい。さまざまな修正、変更、および変形が、特許請求の範囲の範囲から逸脱せずに、前述した方法および装置の構成、動作、および詳細において実施されうる。
なお、以下に、出願当初の特許請求の範囲に記載された発明を付記する。
［Ｃ１］
無線通信のための方法であって、
超高スループット信号Ｂ（ＶＨＴ−ＳＩＧ−Ｂ）フィールドを備えたプリアンブルを有する非ヌル・データ・パケットを送信することと、
ヌル・データ・パケット（ＮＤＰ）を生成することと、ここで、前記ＮＤＰのプリアンブルのＶＨＴ−ＳＩＧ−Ｂフィールドは情報を備える、
前記ＮＤＰを送信することと、
を備える方法。
［Ｃ２］
前記ＮＤＰのプリアンブルは、コンテンツを有する超高スループット・ロング・トレーニング・フィールド（ＶＨＴ−ＬＴＦ）を備え、
前記ＮＤＰのＶＨＴ−ＳＩＧ−Ｂフィールドは、前記コンテンツのうちの少なくとも一部を反復する、Ｃ１に記載の方法。
［Ｃ３］
前記情報は、特定のビット・パターンを備える、Ｃ１に記載の方法。
［Ｃ４］
前記特定のビット・パターンは、低いピーク対平均電力比（ＰＡＰＲ）を有するように選択される、Ｃ３に記載の方法。
［Ｃ５］
前記ＮＤＰを送信することは、
２０ＭＨｚチャネルを用いることと、ここで、前記特定のビット・パターンが２０ビットを備える、
４０ＭＨｚチャネルを用いることと、ここで、前記特定のビット・パターンが２１ビットを備える、
８０ＭＨｚチャネルを用いることと、ここで、前記特定のビット・パターンが２３ビットを備える、
を備えるＣ３に記載の方法。
［Ｃ６］
前記２０ＭＨｚチャネルに関連付けられた特定の２０ビット・パターンが、０００００１１１０１０００１００００１０を備え、
前記４０ＭＨｚチャネルに関連付けられた特定の２１ビット・パターンが、１０１００１０１１０１０００１００００１１を備え、
または、前記８０ＭＨｚチャネルに関連付けられた特定の２３ビット・パターンが、０１０１００１１００１０１１１１１１１００１０を備える、Ｃ５に記載の方法。
［Ｃ７］
前記情報は、基本サービス・セット識別子（ＢＳＳＩＤ）の一部を備える、Ｃ１に記載の方法。
［Ｃ８］
前記ＮＤＰを送信することは、２０ＭＨｚチャネル、４０ＭＨｚチャネル、または８０ＭＨｚチャネルを用いることを備え、
前記ＢＳＳＩＤの一部は、前記ＢＳＳＩＤの２０ビット、２１ビット、または２３ビットをそれぞれ備える、Ｃ７に記載の方法。
［Ｃ９］
前記情報は、ＮＤＰシーケンス番号を備える、Ｃ１に記載の方法。
［Ｃ１０］
前記情報の一部は、前記ＮＤＰシーケンス番号を備え、前記情報の残りの部分は、基本サービス・セット識別子（ＢＳＳＩＤ）の一部を備える、Ｃ９に記載の方法。
［Ｃ１１］
無線通信のための装置であって、
超高スループット信号Ｂ（ＶＨＴ−ＳＩＧ−Ｂ）フィールドを備えたプリアンブルを有する非ヌル・データ・パケットを送信する手段と、
ヌル・データ・パケット（ＮＤＰ）を生成する手段と、ここで、前記ＮＤＰのプリアンブルのＶＨＴ−ＳＩＧ−Ｂフィールドは情報を備える、
前記ＮＤＰを送信する手段と、
を備える装置。
［Ｃ１２］
無線通信のための装置であって、
超高スループット信号Ｂ（ＶＨＴ−ＳＩＧ−Ｂ）フィールドを備えたプリアンブルを有する非ヌル・データ・パケットを送信するように構成された送信機と、
ヌル・データ・パケット（ＮＤＰ）を生成するように構成された処理システムと、ここで、前記ＮＤＰのプリアンブルのＶＨＴ−ＳＩＧ−Ｂフィールドは情報を備え、前記送信機はさらに、前記ＮＤＰを送信するように構成された、
を備える装置。
［Ｃ１３］
前記ＮＤＰのプリアンブルは、コンテンツを有する超高スループット・ロング・トレーニング・フィールド（ＶＨＴ−ＬＴＦ）を備え、
前記ＮＤＰのＶＨＴ−ＳＩＧ−Ｂフィールドは、前記コンテンツのうちの少なくとも一部を反復する、Ｃ１２に記載の装置。
［Ｃ１４］
前記情報は、特定のビット・パターンを備える、Ｃ１２に記載の装置。
［Ｃ１５］
前記特定のビット・パターンは、低いピーク対平均電力比（ＰＡＰＲ）を有するように選択される、Ｃ１４に記載の装置。
［Ｃ１６］
前記送信機はさらに、
２０ＭＨｚチャネルを用いることと、ここで、前記特定のビット・パターンが２０ビットを備える、
４０ＭＨｚチャネルを用いることと、ここで、前記特定のビット・パターンが２１ビットを備える、
または、
８０ＭＨｚチャネルを用いることと、ここで、前記特定のビット・パターンが２３ビットを備える、
によって、前記ＮＤＰを送信するように構成された、Ｃ１４に記載の装置。
［Ｃ１７］
前記２０ＭＨｚチャネルに関連付けられた特定の２０ビット・パターンが、０００００１１１０１０００１００００１０を備え、
前記４０ＭＨｚチャネルに関連付けられた特定の２１ビット・パターンが、１０１
００１０１１０１０００１００００１１を備え、
または、前記８０ＭＨｚチャネルに関連付けられた特定の２３ビット・パターンが、０１０１００１１００１０１１１１１１１００１０を備える、Ｃ１６に記載の装置。
［Ｃ１８］
前記情報は、基本サービス・セット識別子（ＢＳＳＩＤ）の一部を備える、Ｃ１２
に記載の装置。
［Ｃ１９］
前記送信機は、２０ＭＨｚチャネル、４０ＭＨｚチャネル、または８０ＭＨｚチャネルを用いることによって前記ＮＤＰを送信するように構成され、
前記ＢＳＳＩＤの一部は、前記ＢＳＳＩＤの２０ビット、２１ビット、または２３ビットをそれぞれ備える、Ｃ１８に記載の装置。
［Ｃ２０］
前記情報は、ＮＤＰシーケンス番号を備える、Ｃ１２に記載の装置。
［Ｃ２１］
前記情報の一部は、前記ＮＤＰシーケンス番号を備え、前記情報の残りの部分は、基本サービス・セット識別子（ＢＳＳＩＤ）の一部を備える、Ｃ２０に記載の装置。
［Ｃ２２］
無線通信のためのコンピュータ・プログラム製品であって、
超高スループット信号Ｂ（ＶＨＴ−ＳＩＧ−Ｂ）フィールドを備えたプリアンブルを有する非ヌル・データ・パケットを送信することと、
ヌル・データ・パケット（ＮＤＰ）を生成することと、ここで、前記ＮＤＰのプリアンブルのＶＨＴ−ＳＩＧ−Ｂフィールドは情報を備える、
前記ＮＤＰを送信することと、
のためのコードを備えるコンピュータ読取可能な媒体、
を備えるコンピュータ・プログラム製品。
［Ｃ２３］
無線通信のための方法であって、
超高スループット信号Ｂ（ＶＨＴ−ＳＩＧ−Ｂ）フィールドを備えたプリアンブルを有する非ヌル・データ・パケットを受信することと、
ヌル・データ・パケット（ＮＤＰ）を受信することと、ここで、前記ＮＤＰのプリアンブルのＶＨＴ−ＳＩＧ−Ｂフィールドは情報を備える、
を備える方法。
［Ｃ２４］
前記情報に基づいて干渉を判定すること、をさらに備えるＣ２３に記載の方法。
［Ｃ２５］
前記干渉に基づいて、ビームフォーミング・フィードバックを変更することと、
前記変更されたビームフォーミング・フィードバックを送信することと、
をさらに備えるＣ２４に記載の方法。
［Ｃ２６］
前記ＮＤＰのプリアンブルは、コンテンツを有する超高スループット・ロング・トレーニング・フィールド（ＶＨＴ−ＬＴＦ）を備え、
前記ＮＤＰのＶＨＴ−ＳＩＧ−Ｂフィールドは、前記コンテンツのうちの少なくとも一部を反復する、Ｃ２３に記載の方法。
［Ｃ２７］
前記コンテンツの反復された少なくとも一部を用いて、チャネル状態情報（ＣＳＩ）を判定すること、をさらに備えるＣ２６に記載の方法。
［Ｃ２８］
前記コンテンツの反復された少なくとも一部を用いて、残りの周波数オフセットを補正すること、をさらに備えるＣ２６に記載の方法。
［Ｃ２９］
前記情報は、特定のビット・パターンを備える、Ｃ２３に記載の方法。
［Ｃ３０］
前記特定のビット・パターンは、低いピーク対平均電力比（ＰＡＰＲ）を有する、Ｃ２９に記載の方法。
［Ｃ３１］
前記ＮＤＰを受信することは、
２０ＭＨｚチャネルによって前記ＮＤＰを受信することと、ここで、前記特定のビット・パターンが２０ビットを備える、
４０ＭＨｚチャネルによって前記ＮＤＰを受信することと、ここで、前記特定のビット・パターンが２１ビットを備える、
または、８０ＭＨｚチャネルによって前記ＮＤＰを受信することと、ここで、前記特定のビット・パターンが２３ビットを備える、
を備える、Ｃ２９に記載の方法。
［Ｃ３２］
前記２０ＭＨｚチャネルに関連付けられた特定の２０ビット・パターンが、０００００１１１０１０００１００００１０を備え、
前記４０ＭＨｚチャネルに関連付けられた特定の２１ビット・パターンが、１０１００１０１１０１０００１００００１１を備え、
または、前記８０ＭＨｚチャネルに関連付けられた特定の２３ビット・パターンが、０１０１００１１００１０１１１１１１１００１０を備える、Ｃ３１に記載の方法。
［Ｃ３３］
前記受信されたＮＤＰの特定のビット・パターンが正しいことをチェックすること、をさらに備えるＣ２９に記載の方法。
［Ｃ３４］
前記情報は、基本サービス・セット識別子（ＢＳＳＩＤ）の一部を備える、Ｃ２３に記載の方法。
［Ｃ３５］
前記ＮＤＰを受信することは、２０ＭＨｚチャネル、４０ＭＨｚチャネル、または８０ＭＨｚチャネルで前記ＮＤＰを受信することを備え、
前記ＢＳＳＩＤの一部は、前記ＢＳＳＩＤの２０ビット、２１ビット、または２３ビットをそれぞれ備える、Ｃ３４に記載の方法。
［Ｃ３６］
前記受信されたＮＤＰのＢＳＳＩＤの一部が正しいことをチェックすること、をさらに備えるＣ３４に記載の方法。
［Ｃ３７］
前記情報は、ＮＤＰシーケンス番号を備える、Ｃ２３に記載の方法。
［Ｃ３８］
前記情報の一部は、前記ＮＤＰシーケンス番号を備え、前記情報の残りの部分は、基本サービス・セット識別子（ＢＳＳＩＤ）の一部を備える、Ｃ３７に記載の方法。
［Ｃ３９］
前記受信されたＮＤＰのＢＳＳＩＤの一部と、前記ＮＤＰシーケンス番号との両方が正しいことをチェックすること、をさらに備えるＣ３８に記載の方法。
［Ｃ４０］
無線通信のための装置であって、
超高スループット信号Ｂ（ＶＨＴ−ＳＩＧ−Ｂ）フィールドを備えたプリアンブルを有する非ヌル・データ・パケットを受信する手段と、
ヌル・データ・パケット（ＮＤＰ）を受信する手段と、ここで、前記ＮＤＰのプリアンブルのＶＨＴ−ＳＩＧ−Ｂフィールドは情報を備える、
を備える装置。
［Ｃ４１］
無線通信のための装置であって、
超高スループット信号Ｂ（ＶＨＴ−ＳＩＧ−Ｂ）フィールドを備えたプリアンブルを有する非ヌル・データ・パケットを受信し、
ヌル・データ・パケット（ＮＤＰ）を受信する、ここで、前記ＮＤＰのプリアンブルのＶＨＴ−ＳＩＧ−Ｂフィールドは情報を備える、
ように構成された受信機、
を備える装置。
［Ｃ４２］
前記情報に基づいて干渉を判定するように構成された処理システム、をさらに備えるＣ４１に記載の装置。
［Ｃ４３］
送信機をさらに備え、
前記処理システムはさらに、前記干渉に基づいて、ビームフォーミング・フィードバックを変更するように構成され、
前記送信機は、前記変更されたビームフォーミング・フィードバックを送信するように構成された、
Ｃ４２に記載の装置。
［Ｃ４４］
前記ＮＤＰのプリアンブルは、コンテンツを有する超高スループット・ロング・トレーニング・フィールド（ＶＨＴ−ＬＴＦ）を備え、
前記ＮＤＰのＶＨＴ−ＳＩＧ−Ｂフィールドは、前記コンテンツのうちの少なくとも一部を反復する、Ｃ４１に記載の装置。
［Ｃ４５］
前記コンテンツの反復された少なくとも一部を用いて、チャネル状態情報（ＣＳＩ）を判定するように構成された処理システム、をさらに備えるＣ４４に記載の装置。
［Ｃ４６］
前記コンテンツの反復された少なくとも一部を用いて、残りの周波数オフセットを補正するように構成された処理システム、をさらに備えるＣ４４に記載の装置。
［Ｃ４７］
前記情報は、特定のビット・パターンを備える、Ｃ４１に記載の装置。
［Ｃ４８］
前記特定のビット・パターンは、低いピーク対平均電力比（ＰＡＰＲ）を有する、Ｃ４７に記載の装置。
［Ｃ４９］
前記受信機は、
２０ＭＨｚチャネルによって前記ＮＤＰを受信することと、ここで、前記特定のビット・パターンが２０ビットを備える、
４０ＭＨｚチャネルによって前記ＮＤＰを受信することと、ここで、前記特定のビット・パターンが２１ビットを備える、
または、８０ＭＨｚチャネルによって前記ＮＤＰを受信することと、ここで、前記特定のビット・パターンが２３ビットを備える、
によって前記ＮＤＰを受信するように構成された、Ｃ４７に記載の装置。
［Ｃ５０］
前記２０ＭＨｚチャネルに関連付けられた特定の２０ビット・パターンが、０００００１１１０１０００１００００１０を備え、
前記４０ＭＨｚチャネルに関連付けられた特定の２１ビット・パターンが、１０１００１０１１０１０００１００００１１を備え、
または、前記８０ＭＨｚチャネルに関連付けられた特定の２３ビット・パターンが、
０１０１００１１００１０１１１１１１１００１０を備える、Ｃ４９に記載の装置。
［Ｃ５１］
前記受信されたＮＤＰの特定のビット・パターンが正しいことをチェックするように構成された処理システム、をさらに備えるＣ４７に記載の装置。
［Ｃ５２］
前記情報は、基本サービス・セット識別子（ＢＳＳＩＤ）の一部を備える、Ｃ４１に記載の装置。
［Ｃ５３］
前記受信機は、２０ＭＨｚチャネル、４０ＭＨｚチャネル、または８０ＭＨｚチャネルで前記ＮＤＰを受信することによって前記ＮＤＰを受信するように構成され、
前記ＢＳＳＩＤの一部は、前記ＢＳＳＩＤの２０ビット、２１ビット、または２３ビットをそれぞれ備える、Ｃ５２に記載の装置。
［Ｃ５４］
前記受信されたＮＤＰのＢＳＳＩＤの一部が正しいことをチェックするように構成された処理システム、をさらに備えるＣ５２に記載の装置。
［Ｃ５５］
前記情報は、ＮＤＰシーケンス番号を備える、Ｃ４１に記載の装置。
［Ｃ５６］
前記情報の一部は、前記ＮＤＰシーケンス番号を備え、前記情報の残りの部分は、基本サービス・セット識別子（ＢＳＳＩＤ）の一部を備える、Ｃ５５に記載の装置。
［Ｃ５７］
前記受信されたＮＤＰのＢＳＳＩＤの一部と、前記ＮＤＰシーケンス番号との両方が正しいことをチェックするように構成された処理システム、をさらに備えるＣ５６に記載の装置。
［Ｃ５８］
無線通信のためのコンピュータ・プログラム製品であって、
超高スループット信号Ｂ（ＶＨＴ−ＳＩＧ−Ｂ）フィールドを備えたプリアンブルを有する非ヌル・データ・パケットを受信することと、
ヌル・データ・パケット（ＮＤＰ）を受信することと、ここで、前記ＮＤＰのプリアンブルのＶＨＴ−ＳＩＧ−Ｂフィールドは情報を備える、
のためのコードを備えるコンピュータ読取可能な媒体、
を備えるコンピュータ・プログラム製品。
【図１】
0005864575.tif 000002
【図２】
0005864575.tif 000003
【図３】
0005864575.tif 000004
【図４】
0005864575.tif 000005
【図５】
0005864575.tif 000006
【図５Ａ】
0005864575.tif 000007
【図６】
0005864575.tif 000008
【図６Ａ】
0005864575.tif 000009